(57)【要約】【課題】映像信号を複数で共有できる表示装置、表示システム、及び保護カバー付き表示装置の提供。【解決手段】信号変換器２５０に、アナログＲＧＢ信号による映像入力端子（ＲＧＢ入力端子２５１）を備え、ＲＧＢ入力端子２５１から入力されたアナログＲＧＢ信号は、ＡＤコンバータ２５４及びＬＶＤＳドライバ２５５によりＬＶＤＳに変換された後、表示装置２００へ送出される。表示装置２００に入力されたＬＶＤＳは、ＬＶＤＳ分配器２１５によりＬＶＤＳ出力端子２０８及び液晶ユニット２３０の双方へ送出され、ＬＶＤＳ出力端子２０８を通じて外部へ出力されるとともに、液晶ユニット２３０にて前記ＬＶＤＳに基づく映像が表示される。【選択図】　　　図２
2004078042.tif 000002
【特許請求の範囲】
【請求項１】
映像信号入力端子と、該映像信号入力端子から入力された映像信号に基づいて映像を表示する表示手段とを備える表示装置において、
外部へ映像信号を出力する映像信号出力端子と、前記映像信号入力端子から入力された映像信号を前記表示手段及び前記映像信号出力端子の双方へ送出する手段とを備えることを特徴とする表示装置。
【請求項２】
前記映像信号入力端子から入力された映像信号を差動信号に変換する手段を更に備え、変換した差動信号を前記表示手段及び前記映像信号出力端子の双方へ送出すべくなしてあることを特徴とする請求項１に記載の表示装置。
【請求項３】
表示解像度に係る情報の入力を受付ける手段と、入力された情報に基づいて、前記映像信号の表示解像度を変更する手段とを更に備えることを特徴とする請求項１又は請求項２に記載の表示装置。
【請求項４】
前記映像信号入力端子から入力される映像信号が差動信号であることを特徴とする請求項１に記載の表示装置。
【請求項５】
第１信号形式の映像信号に対する第１映像信号入力端子と、第２信号形式の映像信号に対する第２映像信号入力端子と、前記第１又は第２映像信号入力端子から入力された映像信号に基づいて映像を表示する表示手段とを備える表示装置において、
前記第２映像信号入力端子から入力された映像信号の信号形式を前記第１信号形式へ変換する信号変換手段と、映像信号を外部へ出力する映像信号出力端子と、前記第１映像信号入力端子から入力された映像信号又は前記信号変換手段にて変換された映像信号を前記表示手段及び前記映像信号出力端子の双方へ送出する手段とを備えることを特徴とする表示装置。
【請求項６】
映像信号を前記第１映像信号入力端子から入力するか、又は前記第２映像信号入力端子から入力するかの選択を受付ける手段を更に備えることを特徴とする請求項５に記載の表示装置。
【請求項７】
前記第１信号形式の映像信号が差動信号であることを特徴とする請求項５又は請求項６に記載の表示装置。
【請求項８】
前記第２映像信号入力端子は、アナログＲＧＢ端子、ＤＶＩ端子（ＤＶＩ　：　Ｄｉｇｉｔａｌ　Ｖｉｓｕａｌ　Ｉｎｔｅｒｆａｃｅ）、ＩＥＥＥ１３９４用端子（ＩＥＥＥ　：　Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）、又はＵＳＢ端子（ＵＳＢ　：　Ｕｎｉｖｅｒｓａｌ　Ｓｅｒｉａｌ　Ｂｕｓ）であることを特徴とする請求項５乃至請求項７の何れかに記載の表示装置。
【請求項９】
受電用のＤＣレセプタクルを更に備えることを特徴とする請求項１乃至請求項８の何れかに記載の表示装置。
【請求項１０】
外部へ電源を供給するための電源端子を更に備えることを特徴とする請求項１乃至請求項９の何れかに記載の表示装置。
【請求項１１】
外部機器の接続用端子を更に備え、前記接続用端子を通じて外部機器への給電又は外部機器からの受電を可能になしてあることを特徴とする請求項１乃至請求項１０の何れかに記載の表示装置。
【請求項１２】
前記接続用端子は、ＵＳＢ端子又はＰＳ２端子であることを特徴とする請求項１１に記載の表示装置。
【請求項１３】
請求項１乃至請求項４の何れかに記載の表示装置と、該表示装置が備える映像信号入力端子に外付けにした信号変換器とを備え、該信号変換器は、前記映像信号と異なる信号形式の映像信号を入力するための入力端子と、該入力端子から入力された映像信号の信号形式を前記映像信号入力端子へ入力すべき映像信号の信号形式へ変換する手段と、該手段にて変換された映像信号を外部へ出力するための出力端子とを備えることを特徴とする表示システム。
【請求項１４】
前記入力端子は、アナログＲＧＢ端子、ＤＶＩ端子、ＩＥＥＥ１３９４用端子、又はＵＳＢ端子であることを特徴とする請求項１３に記載の表示システム。
【請求項１５】
前記信号変換器は、ＰＣＭＣＩＡカード（ＰＣＭＣＩＡ　：　Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｓｉａｔｉｏｎ）又はＰＣＩボード（ＰＣＩ　：　Ｐｅｒｉｐｈｅｒａｌ　Ｃｏｍｐｏｎｅｎｔ　Ｉｎｔｅｒｃｏｎｎｅｃｔ）であることを特徴とする請求項１３に記載の表示システム。
【請求項１６】
前記表示装置は、前記信号変換器を給電する手段を更に備えることを特徴とする請求項１３乃至請求項１５の何れかに記載の表示システム。
【請求項１７】
前記信号変換器は、前記表示装置を給電する手段を更に備えることを特徴とする請求項１３乃至請求項１５の何れかに記載の表示システム。
【請求項１８】
前記映像信号入力端子及び前記入力端子を通じて給電可能になしてあることを特徴とする請求項１６又は請求項１７に記載の表示システム。
【請求項１９】
請求項１乃至請求項１２の何れかに記載の表示装置と、該表示装置の表示手段に対する覆い位置と非覆い位置とに亘って回動可能に前記表示装置に取付けてある保護カバーとを備え、前記保護カバーが非覆い位置にある場合、前記表示装置が前記保護カバーに対して起立状態となるべくなしてあることを特徴とする保護カバー付き表示装置。
【発明の詳細な説明】
【０００１】
【発明の属する技術分野】
本発明は、映像信号を複数で共有して表示することができる表示装置、表示システム、及び保護カバー付き表示装置に関する。
【０００２】
【従来の技術】
プレゼンテーション、会議等において、パーソナルコンピュータのような情報処理装置により生成した画像データ又は映像データを複数の人に提示する場合がある。このとき、従来では情報処理装置から画像データ又は映像データをアナログ信号の形式でプロジェクタへ出力し、プロジェクタにより前記アナログ信号に基づいた画像又は映像をスクリーンに映写していた。
【０００３】
すなわち、プレゼンテーション、会議の出席者がプロジェクタにより提示された映像又は画像を見る場合、全員が同じ方向を見る必要が生じ、出席者がお互いの顔を見ながら行う会議等では違和感が生じていた。そこで、複数の映像出力端子を備えた映像分配器を用意し、該映像分配器へ液晶ディスプレイのような表示装置を接続して映像データを複数の表示装置に分配するようにしていた。
【０００４】
【発明が解決しようとする課題】
前述の映像分配器を用いた場合、映像分配器が備える映像出力端子の数により接続可能な表示装置の数が限定されるため、会議の出席者が多くそれ以上の表示装置を接続する必要がある場合には、更に多くの映像出力端子を持つ映像分配器を用意するか、又は映像分配器を２台以上接続して対応しなければならない。
【０００５】
しかしながら、会議によって出席者数が異なるため、出席者数を事前に把握して適当数の映像出力端子を持つ映像分配器を用意することは困難であり、また、予め多数の映像出力端子を持つ映像分配器を用意することはコスト的に不利であった。
【０００６】
また、映像分配器を２台以上接続する場合、アナログ信号により映像信号を伝送する際の伝送経路が長くなるため、アンプ等の影響により映像信号の歪みが助長されて映像信号が劣化するという問題が生じていた。また、複数の映像分配器を利用して多数の表示装置を接続する場合、映像分配機及び表示装置の配置が煩雑になり、机上が雑然として見苦しいという問題も生じていた。更に、映像分配機及び表示装置の接続作業が煩わしいという問題も生じていた。
【０００７】
また、会議等での使用を目的とする場合、会議の出席者数に応じて表示装置を搬入して設置しなければならないため、搬入の際に表示画面が損傷することを防止できることが望ましく、表示装置の設置面積が小さいことが望ましい。
【０００８】
本発明は斯かる事情に鑑みてなされたものであり、映像信号入力端子及び映像信号出力端子を備え、映像信号入力端子から入力された映像信号を表示手段に送出して表示すると共に、映像信号出力端子へ送出して外部へ出力する構成とすることにより、会議等での使用性に優れ、複数で映像信号を共有して表示し得る表示装置、表示システム、及び保護カバー付き表示装置を提供することを目的とする。
【０００９】
本発明の他の目的は、映像信号の入出力を差動信号により行う構成とすることにより、映像信号を劣化させることなく入出力可能な表示装置、表示システム、及び保護カバー付き表示装置を提供することにある。
【００１０】
本発明の更に他の目的は、保護カバーを回動可能に取付けた構成とすることにより、搬入等の持ち運びの際に損傷することを防止できる保護カバー付き表示装置を提供することにある。
【００１１】
【課題を解決するための手段】
第１発明に係る表示装置は、映像信号入力端子と、該映像信号入力端子から入力された映像信号に基づいて映像を表示する表示手段とを備える表示装置において、外部へ映像信号を出力する映像信号出力端子と、前記映像信号入力端子から入力された映像信号を前記表示手段及び前記映像信号出力端子の双方へ送出する手段とを備えることを特徴とする。
【００１２】
第１発明にあっては、映像信号入力端子から入力された映像信号を表示手段へ送出して表示すると共に、映像信号出力端子へ送出して外部へ出力するようにしているため、複数の表示装置間を映像信号の伝送媒体である映像信号ケーブルで接続することによって、それらの表示装置で映像信号を共有して表示することが可能であり、会議等での使用性に優れる。また、会議の規模に合わせて使用する台数の増減が容易であり、複数の表示装置を接続したシステムの構築を安価に行うことが可能である。
【００１３】
第２発明に係る表示装置は、第１発明に係る表示装置において、前記映像信号入力端子から入力された映像信号を差動信号に変換する手段を更に備え、変換した差動信号を前記表示手段及び前記映像信号出力端子の双方へ送出すべくなしてあることを特徴とする。
【００１４】
第２発明にあっては、映像信号入力端子から入力された映像信号をＬＶＤＳ（Ｌｏｗ　Ｖｏｌｔａｇｅ　Ｄｉｆｆｅｒｅｎｔｉａｌ　Ｓｉｇｎａｌｉｎｇ）のような差動信号に変換して表示すると共に、映像信号出力端子から出力するため、伝送による映像信号の劣化が少ない。
【００１５】
第３発明に係る表示装置は、第１発明又は第２発明に係る表示装置において、表示解像度に係る情報の入力を受付ける手段と、入力された情報に基づいて、前記映像信号の表示解像度を変更する手段とを更に備えることを特徴とする。
【００１６】
第３発明にあっては、表示解像度を変更するための手段を備えているため、映像信号の送出元と異なる表示解像度である場合にも映像の表示が可能である。
【００１７】
第４発明に係る表示装置は、第１発明に係る表示装置において、前記映像信号入力端子から入力される映像信号が差動信号であることを特徴とする。
【００１８】
第４発明にあっては、映像信号をＬＶＤＳのような差動信号により入出力を行っているため、伝送による映像信号の劣化が少ない。また、ノート型パーソナルコンピュータ用に開発された液晶パネルでは一般的にＬＶＤＳを用いて映像を表示しており、ＬＶＤＳをそのまま入出力に利用することによって、他の信号形式の映像信号に変換する必要がなくなるため、携帯に便利なノート型パーソナルコンピュータ用の液晶パネルを流用することができ、表示装置の製造コストを減少させることが可能となる。
【００１９】
第５発明に係る表示装置は、第１信号形式の映像信号に対する第１映像信号入力端子と、第２信号形式の映像信号に対する第２映像信号入力端子と、前記第１又は第２映像信号入力端子から入力された映像信号に基づいて映像を表示する表示手段とを備える表示装置において、前記第２映像信号入力端子から入力された映像信号の信号形式を前記第１信号形式へ変換する信号変換手段と、映像信号を外部へ出力する映像信号出力端子と、前記第１映像信号入力端子から入力された映像信号又は前記信号変換手段にて変換された映像信号を前記表示手段及び前記映像信号出力端子の双方へ送出する手段とを備えることを特徴とする。
【００２０】
第５発明にあっては、２種類の映像信号を入力するために２つの映像信号入力端子と、一方から入力された映像信号の信号形式を他方の信号形式へ変換する手段とを備え、前記信号形式の映像信号を表示手段に送出して表示すると共に、映像出力端子へ送出して外部へ出力するようにしているため、２つの表示装置間を映像信号の伝送媒体である映像信号ケーブルで接続することによって、２つの表示装置で映像信号を共有して表示することが可能であり、会議等での使用性に優れる。また、会議の規模に合わせて使用する表示装置を増減することが容易である。
【００２１】
第６発明に係る表示装置は、第５発明に係る表示装置において、映像信号を前記第１映像信号入力端子から入力するか、又は前記第２映像信号入力端子から入力するかの選択を受付ける手段を更に備えることを特徴とする。
【００２２】
第６発明にあっては、映像信号の入力するための映像信号入力端子を選択できるようにしてあるため、複数の表示装置を映像信号ケーブルで接続したシステムの構築が容易である。
【００２３】
第７発明に係る表示装置は、第５発明又は第６発明に係る表示装置において、前記第１信号形式の映像信号が差動信号であることを特徴とする。
【００２４】
第７発明にあっては、第１信号形式の映像信号が差動信号であるため、映像信号の伝送による劣化が少ない。また、差動信号としてＬＶＤＳを用いた場合、ノート型パーソナルコンピュータ用の液晶パネルを流用した表示装置の表示用信号としても利用可能である。
【００２５】
第８発明に係る表示装置は、第５発明乃至第７発明の何れかの表示装置において、前記第２映像信号入力端子は、アナログＲＧＢ端子、ＤＶＩ端子、ＩＥＥＥ１３９４用端子、又はＵＳＢ端子であることを特徴とする。
【００２６】
第８発明にあっては、第２映像信号入力端子はアナログＲＧＢ端子、ＤＶＩ端子、ＩＥＥＥ１３９４用端子、又はＵＳＢ端子であるため、アナログＲＧＢ信号等の各種映像信号の入力が可能である。また、入力された映像信号をＬＶＤＳ信号のような差動信号に変換して表示すると共に外部へ出力するようにしているため、映像信号による劣化が少ない。
【００２７】
第９発明に係る表示装置は、第１発明乃至第８発明の何れかの表示装置において、受電用のＤＣレセプタクルを更に備えることを特徴とする。
【００２８】
第９発明にあっては、受電用のＤＣレセプタクルを備えているため、電源ケーブルの接続が容易であり、しかも不用意に外れることがない。
【００２９】
第１０発明に係る表示装置は、第１発明乃至第９発明の何れかの表示装置において、外部へ電源を供給するための電源端子を更に備えることを特徴とする。
【００３０】
第１０発明にあっては、外部へ電源を供給するための電源端子を備えているため、複数の表示装置を接続した場合、一の表示装置から他の表示装置へ給電することが可能となる。
【００３１】
第１１発明に係る表示装置は、第１発明乃至第１０発明の何れかの表示装置において、外部機器の接続用端子を更に備え、前記接続用端子を通じて外部機器への給電又は外部機器からの受電を可能になしてあることを特徴とする。
【００３２】
第１１発明にあっては、外部機器への給電又は外部機器からの受電を可能とした接続用端子を備えているため、例えば、本発明の表示装置にパーソナルコンピュータを接続した場合、当該パーソナルコンピュータから受電することが可能であり、また、表示装置にマウス、キーボード等を接続した場合、これらの外部機器へ給電することが可能である。
【００３３】
第１２発明に係る表示装置は、第１１発明に係る表示装置において、前記接続用端子は、ＵＳＢ端子又はＰＳ２端子であることを特徴とする。
【００３４】
第１２発明にあっては、前記接続用端子はＵＳＢ端子又はＰＳ端子であるため、マウス、キーボード等の外部機器を接続することができ、それらの外部機器へ給電することが可能である。
【００３５】
第１３発明に係る表示システムは、第１発明乃至第４発明の何れかの表示装置と、該表示装置が備える映像信号入力端子に外付けにした信号変換器とを備え、該信号変換器は、前記映像信号と異なる信号形式の映像信号を入力するための入力端子と、該入力端子から入力された映像信号の信号形式を前記映像信号入力端子へ入力すべき映像信号の信号形式へ変換する手段と、該手段にて変換された映像信号を外部へ出力するための出力端子とを備えることを特徴とする。
【００３６】
第１３発明にあっては、映像信号の入出力端子と、入力された信号形式を変換する手段とを備える信号変換器を表示装置の映像信号入力端子に外付けにしてあるため、例えば、アナログＲＧＢ信号等の各種映像信号をＬＶＤＳ信号のような差動信号に変換した上で映像信号入力端子に入力することが可能となり、差動信号による映像信号の表示及び他の表示装置への伝送を行うことが可能となる。
【００３７】
第１４発明に係る表示システムは、第１３発明に係る表示システムにおいて、前記入力端子は、アナログＲＧＢ端子、ＤＶＩ端子、ＩＥＥＥ１３９４用端子、又はＵＳＢ端子であることを特徴とする。
【００３８】
第１４発明にあっては、信号変換器の入力端子がアナログＲＧＢ端子、ＤＶＩ端子、ＩＥＥＥ１３９４用端子、又はＵＳＢ端子であるため、アナログＲＧＢ信号等の各種映像信号の入力が可能である。
【００３９】
第１５発明に係る表示システムは、第１３発明に係る表示システムにおいて、前記信号変換器は、ＰＣＭＣＩＡカード又はＰＣＩボードであることを特徴とする。
【００４０】
第１５発明にあっては、信号変換器はＰＣＭＣＩＡカード又はＰＣＩボードであるため、これらをパーソナルコンピュータ等の情報処理装置に接続して映像信号を取得することが可能である。
【００４１】
第１６発明に係る表示システムは、第１３発明乃至第１５発明の何れかの表示システムにおいて、前記表示装置は、前記信号変換器を給電する手段を更に備えることを特徴とする。
【００４２】
第１６発明にあっては、表示装置に給電装置を備えているため、表示装置から信号変換器へ給電することが可能である。
【００４３】
第１７発明に係る表示システムは、第１３発明乃至第１５発明の何れかの表示システムにおいて、前記信号変換器は、前記表示装置を給電する手段を更に備えることを特徴とする。
【００４４】
第１７発明にあっては、信号変換器に給電装置を備えているため、信号変換器から表示装置へ給電することが可能である。
【００４５】
第１８発明に係る表示システムは、第１６発明又は第１７発明に記載の表示システムにおいて、前記映像信号入力端子及び前記入力端子を通じて給電可能になしてあることを特徴とする。
【００４６】
第１８発明にあっては、表示装置の映像信号入力端子及び信号変換器の入力端子を通じて給電可能になしてあるため、映像信号の伝送媒体である映像信号ケーブルを共用して給電することができる。
【００４７】
第１９発明に係る保護カバー付き表示装置は、第１発明乃至第１２発明の何れかの表示装置と、該表示装置の表示手段に対する覆い位置と非覆い位置とに亘って回動可能に前記表示装置に取付けてある保護カバーとを備え、前記保護カバーが非覆い位置にある場合、前記表示装置が前記保護カバーに対して起立状態となるべくなしてあることを特徴とする。
【００４８】
第１９発明にあっては、表示手段に対する覆い位置と非覆い位置とに亘って回動可能に取付けてある保護カバーを備えており、非覆い位置にあっては表示装置が起立状態になるため、搬入等の持ち運びの際に表示装置が損傷することを防止できる。また、保護カバーを回動させて開いたときに表示装置に対して所定角度を保つように構成した場合、表示装置を前記角度で机上に載置することが可能となる。
【００４９】
【発明の実施の形態】
以下、本発明をその実施の形態を示す図面に基づいて具体的に説明する。
実施の形態１．
図１は本実施の形態に係る表示装置の接続例を示す模式図である。図中１００は、映像信号の送出元である情報処理装置であり、該情報処理装置１００には複数の表示装置２００，２００，２００，…が直列に接続されている。情報処理装置１００は具体的にはパーソナルコンピュータであり、アナログＲＧＢ信号用の映像信号ケーブル１１０により接続された信号変換器２５０を介して映像信号を表示装置２００へ送出する。
表示装置２００は、例えば液晶ディスプレイであり、任意の２台の表示装置２００，２００はＬＶＤＳ用の映像信号ケーブル１２０により接続されている。表示装置２００は情報処理装置１００から見て下流側の表示装置２００へ映像信号を送出する。
【００５０】
情報処理装置１００は、その内部にて生成した映像信号、又は通信手段（不図示）を利用して外部から取得した映像信号を自身の表示手段（不図示）に表示すると共に、映像信号をアナログＲＧＢ信号として外部へ出力する。出力された映像信号は映像信号ケーブル１１０で接続された信号変換器２５０へ送出される。信号変換器２５０は、入力された映像信号の信号形式をアナログＲＧＢ信号からＬＶＤＳへ変換して、ＬＶＤＳによる映像信号を表示装置２００へ出力するようにしている。
【００５１】
表示装置２００は、入力された映像信号（ＬＶＤＳ）に基づいて自身の液晶ユニット（図２参照）にて映像を表示するとともに、映像信号ケーブル１２０により接続された下流側の表示装置２００への映像信号を送出する。このように一台の表示装置２００によって映像信号に基づく映像の表示、及びその映像信号の送出を行うことによって、複数の表示装置２００，２００，…で映像信号を共有することができ、情報処理装置１００にて表示される映像と同一の映像を表示装置２００，２００，…により同時的に表示することが可能となる。また、表示装置２００，２００，…の間はＬＶＤＳにより映像信号を伝送するため、映像信号の劣化が少ない。
【００５２】
なお、情報処理装置１００が出力する映像信号は、必ずしも複数のフレームデータからなる映像データに基づいた映像信号である必要はなく、静止画である画像データを出力して表示装置２００，２００，…にて同時的に表示するものであってもよい。
【００５３】
また、本実施の形態では情報処理装置１００をパーソナルコンピュータとしたが、映像信号の出力手段を備えたＡＶ機器を用いることができ、例えば、ビデオカメラ、ビデオテープレコーダ、ＤＶＤプレーヤ、テレビゲーム機等に適用できることは勿論である。
【００５４】
図２は本実施の形態に係る表示装置２００及び信号変換器２５０の内部構成を説明するブロック図である。信号変換器２５０は、ＲＧＢ入力端子２５１、ＡＤコンバータ２５４、ＬＶＤＳドライバ２５５、及びＬＶＤＳ出力端子２５２を備えている。ＲＧＢ入力端子２５１から入力されたアナログＲＧＢ信号（映像信号）は、ＡＤコンバータ２５４にてデジタル信号に変換され、ＬＶＤＳドライバ２５５によりＬＶＤＳが生成される。生成されたＬＶＤＳは、ＬＶＤＳ出力端子２５２を通じて表示装置２００へ出力される。
【００５５】
表示装置２００はＬＶＤＳ入力端子２０６を備えており、信号変換器２５０又は上流側に接続された表示装置２００からのＬＶＤＳが入力されるようになっている。ＬＶＤＳ入力端子２０６に入力されたＬＶＤＳは、ＬＶＤＳ分配器２１５により液晶ユニット２３０のパネル信号制御回路２０２、及びＬＶＤＳ出力端子２０８の双方へ送出される。パネル信号制御回路２０２は、ＬＶＤＳレシーバ２１６にて受けたＬＶＤＳに基づいて表示パネル２０１に映像を表示させ、ＬＶＤＳ出力端子２０８は、入力されたＬＶＤＳを外部へ出力する。
【００５６】
表示装置２００はＤＣ入力端子２２０を通じて外部から電源をとるようになしてあり、電源回路２０５によりパネル信号制御回路２０２、インバータ回路２０４、ＬＶＤＳ分配器２１５へ電力を供給する。インバータ回路２０４にはバックライト２０３が接続されており、表示パネル２０１にて映像を表示する際の輝度を確保するようにしている。
また、電源回路２０５にはＤＣコネクタ２０９が接続されており、該ＤＣコネクタ２０９を通じて外部へ電力を供給することができる。例えば、信号変換器２５０がＤＣコネクタ２５９を備える場合、ＤＣコネクタ２０９とＤＣコネクタ２５９との間を電源ケーブルで接続することにより、表示装置２００は信号変換器２５０を給電することが可能となる。
【００５７】
なお、ＤＣコネクタ２０９，２５９を接続する電源ケーブルと、ＬＶＤＳ入力端子２０６及びＬＶＤＳ出力端子２５２を接続する映像信号ケーブルとを一体化したケーブルを利用することも可能である。また、ＡＤコンバータ２５４とＬＶＤＳドライバ２５５との間に解像度変換器を挿入してもよい。
【００５８】
本実施の形態では表示装置２００から信号変換器２５０へ給電する形態としたが、信号変換器２５０が外部から電源をとり、表示装置２００へ給電するようにしてもよい。図３は、図２に示した表示装置２００及び信号変換器２５０の変形例を示すブロック図である。信号変換器２５０が備えるＵＳＢ端子２５８を利用して情報処理装置１００から電源をとり、電源回路２５７を通じてＡＤコンバータ２５４及びＬＶＤＳドライバ２５５へ給電するとともに、ＤＣコネクタ２５９を通じて表示装置２００を給電する。
【００５９】
信号変換器２５０のＤＣコネクタ２５９と表示装置２００のＤＣコネクタ２０９とは電源ケーブルにより接続されており、ＤＣコネクタ２０９を通じて、表示装置２００内部のパネル信号制御回路２０２、インバータ回路２０４、及びＬＶＤＳ分配器２１５に対する給電がなされる。
なお、映像信号の入力及び変換処理は、図２に示したものと同様であるため説明を省略する。
【００６０】
このように、信号変換器２５０を介して情報処理装置１００へ接続された表示装置２００に対する給電は、ＡＣアダプタ等を利用して外部から給電を行う必要はなく、情報処理装置１００からの給電が可能となる。
なお、更に下流側に接続された表示装置２００，２００，…への給電は、ＵＳＢの定格上の問題が生じるため、ＡＣアダプタ等を利用して外部から給電を行うことが望ましい。
【００６１】
実施の形態２．
実施の形態１では、信号変換器２５０へアナログＲＧＢ信号を入力して、外部へＬＶＤＳを出力する形態であったが、ＴＭＤＳを入力して、ＬＶＤＳを出力する形態であっても良い。
【００６２】
図４は本実施の形態に係る表示装置及び信号変換器の内部構成を説明する模式図である。信号変換器２６０はＴＭＤＳ入力端子２６１、ＴＭＤＳレシーバ２６４、ＬＶＤＳドライバ２６５、及びＬＶＤＳ出力端子２６２を備えている。ＴＭＤＳ入力端子２６１に入力されたＴＭＤＳをＴＭＤＳレシーバ２６４で受けて、ＬＶＤＳドライバ２６５へ送出する。ＬＶＤＳドライバ２６５は、ＴＭＤＳレシーバ２６４から送出されたＴＭＤＳをＬＶＤＳに変換し、ＬＶＤＳ出力端子２６２を通じて外部へ出力する。信号変換器２６０に対する電力の供給は、表示装置２００から行われ、ＤＣコネクタ２６９により受電した電力をＴＭＤＳレシーバ２６４及びＬＶＤＳドライバ２６５へ供給する。
表示装置２００は実施の形態１で説明したものと同一の構成を有する。
【００６３】
なお、信号変換器２６０はＤＶＩ入力端子２６１の代わりにＵＳＢ端子、又はＩＥＥＥ１３９用端子を備えるものであってもよく、その場合、ＵＳＢ端子にはＵＳＢ規格に準拠した映像信号が入力され、ＩＥＥＥ１３９４用端子にはＩＥＥＥ１３９４規格に準拠した映像信号が入力される。ＵＳＢ端子又はＩＥＥＥ１３９４用端子から入力された映像信号は、ＬＶＤＳドライバ２６５によりＬＶＤＳに変換されて、表示装置２００へ出力される。
【００６４】
実施の形態３．
信号変換器としては映像信号の出力端子を備えるＰＣＭＣＩＡカードを利用することも可能である。情報処理装置１００が映像信号の出力端子を備えていない場合であっても、ＰＣＭＣＩＡ規格のカードスロットを備えている場合には、前記ＰＣＭＣＩＡカードを利用することによって、映像信号を表示装置２００へ送出することが可能となる。
【００６５】
図５は、本実施の形態に係る表示装置及び信号変換器の内部構成を説明するブロック図である。本実施の形態では信号変換器２７０はＰＣＭＣＩＡカードであり、情報処理装置１００からのＰＣＭＣＩＡバス信号を受けるバス入力端子２７１、入力されたＰＣＭＣＩＡバス信号に基づいて映像信号を出力する映像信号出力回路２７２、該映像信号出力回路２７２から出力された映像信号に基づいてＬＶＤＳを生成するＬＶＤＳドライバ２７５、ＬＶＤＳを出力するＬＶＤＳ出力端子２７９を備えている。
【００６６】
表示装置２００はＬＶＤＳ入力端子２０６を備えており、信号変換器２７０又は上流側に接続された表示装置２００からのＬＶＤＳが入力されるようになっている。ＬＶＤＳ入力端子２０６に入力されたＬＶＤＳは、ＬＶＤＳ分配器２１５によりパネル信号制御回路２０２及びＬＶＤＳ出力端子２０８の双方へ送出され、パネル信号制御回路２０２は、ＬＶＤＳレシーバ２１６で受けたＬＶＤＳに基づいて表示パネル２０１に映像を表示させ、ＬＶＤＳ出力端子２０８は入力されたＬＶＤＳを外部へ出力する。
表示装置２００への電源の供給は、ＰＣＭＣＩＡカードである信号変換器２７０を通じて行われる形態であってもよく、また、外部から電源をとる形態であってもよい。
【００６７】
なお、信号変換器２７０としてＰＣＭＣＩＡカードの代わりにグラフィックボードのようなＰＣＩボードを利用することも可能である。この場合、ＰＣＩボードに入力される信号はＰＣＩバスの規格に準拠した信号（ＰＣＩ信号）であり、ＰＣＩボードは入力されたＰＣＩ信号に基づき映像信号を生成し、生成した映像信号をＬＶＤＳに変換した後、表示装置２００へＬＶＤＳを出力する。
【００６８】
図６は、図２に示した表示装置２００及び信号変換器２５０の外観斜視図である。表示装置２００は、表示パネル２０１を備える薄板形状の本体２００ａと、回動軸２００ｅにより連接された保護カバー２００ｂ，２００ｃとを備えており、保護カバー２００ｂは回動軸２００ｅを介して本体２００ａに取付けられている。本体２００ａの一端側には、ＬＶＤＳ入力端子２０６、ＤＣコネクタ２０９、及びＤＣ入力端子２２０を備え、他端側にはＬＶＤＳ出力端子（図２参照）を備える。保護カバー２００ｂ，２００ｃは、チタン合金、マグネシウム合金等の金属材料、又はプラスチック、ポリカーボネート等の合成樹脂材料により形成されており、回動軸を中心軸として本体２００ａに対して開閉可能になしてある。
【００６９】
表示装置２００は、保護カバー２００ｂを回動させて最大角まで開き、更に保護カバー２００ｃを同方向に回動させた場合、図６に示した如く本体２００ａが保護カバー２００ｂに対して所定の傾斜角を保てるように構成されている。そのため、図６に示した如く、保護カバー２００ｂを開いて机上に載置したとき、本体２００ａは、表示パネル２０１に表示された映像をユーザが視認し易い角度に保たれる。
また、図６に示した如く、保護カバー２００ｂを閉じた場合、表示パネル２０１は保護カバー２００ｂにより保護されるため、持ち運びの際に表示パネル２０１が損傷を受けることが防止される。
【００７０】
なお、本体２００ａの適宜箇所にストッパーを設けて、本体２００ａと保護カバー２００ｂとの間の角度を他段階に設定できるようにしてもよい。
【００７１】
表示装置２００と信号変換器２５０とは、映像信号ケーブル１２０及びＤＣケーブル１２１を介して接続されるようになしてあり、信号変換器２５０を情報処理装置１００のＲＧＢ出力端子（不図示）に接続するようにしている。
また、表示装置２００は、外部から電源を取るようにしてあり、ＤＣ入力端子２２０にＡＣアダプタ１２３を接続するようにしている。更に、２台の表示装置２００，２００は映像信号ケーブル１２０により接続するようにしている。
【００７２】
図７は、図３に示した表示装置２００及び信号変換器２５０の外観斜視図である。信号変換器２５０はＵＳＢ端子２５８を備えており、接続した情報処理装置１００から電源をとるようにしている。更に、信号変換器２５０は、ＤＣケーブル１２１を利用して表示装置２００を給電するようにしている。
ＤＣケーブル１２１は表示装置２００のＤＣコネクタ２０９に接続され、信号変換器２５０から送出されるＬＶＤＳを伝送するための映像信号ケーブル１２０は、表示装置２００のＬＶＤＳ入力端子２０６に接続される。
【００７３】
なお、表示装置２００の構成は図６に示したものと同じであってもよく、また、ＤＣコネクタ２０９に接続したＤＣケーブル１２１を利用して信号変換器２５０から給電される構成であるため、必ずしもＤＣ入力端子２２０を設けている必要はない。
【００７４】
実施の形態４．
図８は本実施の形態に係る表示装置の接続例を示す模式図である。情報処理装置１００には複数の表示装置３００，３００，３００，…が接続されており、情報処理装置１００は信号変換器３４０，３４０，３４０，…を介して映像信号を各表示装置３００，３００，３００，…へ送出する。情報処理装置１００と信号変換器３４０とは映像信号ケーブル１１０により接続され、２つの信号変換器３４０，３４０の間は映像信号ケーブル１２０により接続されている。表示装置３００は情報処理装置１００から見て下流側の表示装置３００へ映像信号を送出する。
本実施の形態では信号変換器３４０に２つの出力端子を設けることによって、表示装置３００をバス型に接続できる点、及び表示装置３００が映像信号の出力端子を備えていない点が前述した実施の形態と異なる。
【００７５】
図９は本実施の形態に係る表示装置３００及び信号変換器３４０の内部構成を説明するブロック図である。信号変換器３４０は、ＲＧＢ入力端子３４１、ＬＶＤＳ入力端子３４２、ＡＤコンバータ３４４、ＬＶＤＳドライバ３４５、ＬＶＤＳ切替器３４６、ＬＶＤＳ分配器３４７を備えている。ＲＧＢ入力端子３４１に入力されたアナログＲＧＢ信号は、ＡＤコンバータ３４４によりデジタル信号に変換され、ＬＶＤＳドライバ３４５に送出される。ＬＶＤＳドライバ３４５は、入力されたデジタル信号に基づきＬＶＤＳを生成し、ＬＶＤＳ切替器３４６へＬＶＤＳを送出する。一方、ＬＶＤＳ入力端子３４２に入力されたＬＶＤＳもＬＶＤＳ切替器３４６に入力される。
【００７６】
映像信号の入力元の選択を受付ける手段であるＬＶＤＳ切替器３４６は、例えば、信号変換器３４０の外側の適宜箇所に設けられたスライド式スイッチであり、人の手に前記スライド式スイッチを操作することによって、映像信号の入力元をＲＧＢ入力端子３４１又はＬＶＤＳ入力端子３４２の何れかから選択できるようになっている。ＬＶＤＳ切替器３４６により選択された入力元からの映像信号はＬＶＤＳ分配器３４７へ送出され、２つのＬＶＤＳ出力端子の双方へ送出される。
【００７７】
表示装置３００はＬＶＤＳ入力端子３０６を備えており、信号変換器３４０から出力されたＬＶＤＳが入力される。ＬＶＤＳ入力端子３０６に入力されたＬＶＤＳは、パネル信号制御回路３０２のＬＶＤＳレシーバ３１６へ送出され、表示パネル３０１において前記ＬＶＤＳに基づく映像が表示される。表示装置３００の電源は外部から供給され、電源回路３０５を通じてパネル信号制御回路３０２、インバータ回路３０４へ電力を供給する。インバータ回路３０４にはバックライト３０３が接続されており、映像を表示する際の輝度を確保するようにしている。また、電源回路３０５にはＤＣコネクタ３０９が接続されており、該ＤＣコネクタ３０９と信号変換回路３４０が有するＤＣコネクタ３４９との間にＤＣケーブル１２１を接続することによって、表示装置３００から信号変換器３４０への電力の供給を可能になしてある。
なお、信号変換器３４０が外部から電源をとり、両ＤＣコネクタ３４９，３０９を通じて表示装置３００へ電力を供給するようにしてもよい。
【００７８】
実施の形態５．
実施の形態４では、信号変換器３４０がＲＧＢ入力端子３４１及びＬＶＤＳ入力端子３４２を備える構成としたが、２種類の信号変換器を用意し、それぞれの信号変換器にＲＧＢ入力端子又はＬＶＤＳ入力端子を設ける構成であってもよい。その場合、情報処理装置１００に接続される信号変換器はＲＧＢ入力端子を設けたものとなり、２つの表示装置３００，３００の間に接続される信号変換器はＬＶＤＳ入力端子を設けたものとなる。
図１０は本実施の形態に係る表示装置３００及び信号変換器３５０の内部構成を説明するブロック図である。信号変換器３５０は、ＲＧＢ入力端子３５１、ＡＤコンバータ３５４、ＬＶＤＳドライバ３５５、ＬＶＤＳ分配器３５６を備えており、ＲＧＢ入力端子３５１から入力されたアナログＲＧＢ信号をデジタル化してＬＶＤＳに変換する。ＬＶＤＳ分配器３５６には２つのＬＶＤＳ出力端子３５２，３５２が接続されており、双方からＬＶＤＳを出力する。
【００７９】
表示装置３００はＬＶＤＳ入力端子３０６を備えており、信号変換器３５０から出力されたＬＶＤＳが入力される。ＬＶＤＳ入力端子３０６に入力されたＬＶＤＳは、パネル信号制御回路３０２のＬＶＤＳレシーバ３１６へ送出され、表示パネル３０１において前記ＬＶＤＳに基づく映像が表示される。表示装置３００の電源は外部から供給され、電源回路３０５を通じてパネル信号制御回路３０２、インバータ回路３０４へ電力を供給する。インバータ回路３０４にはバックライト３０３が接続されており、映像を表示する際の輝度を確保するようにしている。また、電源回路３０５にはＤＣコネクタ３０９が接続されており、該ＤＣコネクタ３０９と信号変換回路３５０が有するＤＣコネクタ３５９との間にＤＣケーブル１２１を接続することによって、表示装置３００から信号変換器３５０への電力の供給を可能になしてある。
なお、信号変換器３５０が外部から電源をとり、両ＤＣコネクタ３５９，３０９を通じて表示装置３００へ電力を供給するようにしてもよい。
【００８０】
図１１は本実施の形態に係る表示装置３００及び信号変換器３６０の内部構成を説明するブロック図である。信号変換器３６０は、ＬＶＤＳ入力端子３６１、ＬＶＤＳ分配器３６６、該ＬＶＤＳ分配器３６６に接続された２つのＬＶＤＳ出力端子３６２，３６２を備えており、ＬＶＤＳ入力端子３６１から入力されたＬＶＤＳを両方のＬＶＤＳ出力端子３６２，３６２から出力する。表示装置３００の構成は図１０に示したものと同じである。
【００８１】
このように本実施の形態では、ＬＶＤＳの分岐を信号変換器３５０，３６０の内部にて行っているため、表示装置３００には、表示パネル３０１、パネル信号制御回路３０２、バックライト３０３、インバータ回路３０４等の液晶ユニットを筐体に組込むだけで良く、表示装置３００を小型化、薄型化するうえで有利であり、製造工程が簡略化できる。
【００８２】
実施の形態６．
図１２は本実施の形態に係る表示装置の接続例を示す模式図である。図中１００は、映像信号の送出元である情報処理装置であり、該情報処理装置１００には複数の表示装置４００，４００，４００，…が直列に接続されている。情報処理装置１００は具体的にはパーソナルコンピュータであり、アナログＲＧＢ信号用の映像信号ケーブル１１０により接続された表示装置４００へ映像信号を送出することができる。表示装置４００は、例えば液晶ディスプレイであり、任意の２台の表示装置４００，４００はＬＶＤＳ用の映像信号ケーブル１２０により接続されている。表示装置４００は情報処理装置１００から見て下流側の表示装置４００へ映像信号を送出する。
【００８３】
情報処理装置１００は、その内部にて生成した映像信号、又は通信手段（不図示）を利用して外部から取得した映像信号を自身の表示手段（不図示）に表示すると共に、映像信号をアナログＲＧＢ信号として外部へ出力する。出力された映像信号はアナログＲＧＢ信号用の映像信号ケーブル１１０で接続された表示装置４００へ送出される。前記表示装置４００に映像信号が入力された場合、入力された映像信号の信号形式をアナログＲＧＢ信号からＬＶＤＳへ変換して表示すると共に、ＬＶＤＳによる映像信号を外部へ出力するようにしている。
【００８４】
上流側の表示装置４００から出力された映像信号（ＬＶＤＳ）は、映像信号ケーブル１２０を介して接続された下流側の表示装置４００へ送出される。下流側に接続された表示装置４００は前記映像信号に基づく映像を表示すると共に、映像信号ケーブル１２０を介して外部へ出力する。このように一台の表示装置４００により映像の表示処理及び映像信号の出力処理を行うことによって、複数の表示装置４００，４００，…で映像信号を共有することができ、情報処理装置１００にて表示される映像と同一の映像を表示装置４００，４００，…により同時的に表示することが可能となる。また、２台の表示装置４００，４００の間はＬＶＤＳにより映像信号を伝送するため、映像信号の劣化が少ない。
【００８５】
図１３は表示装置４００の内部構成を説明するブロック図である。表示装置４００は、ＬＶＤＳに対するＬＶＤＳ入力端子４０６と、アナログＲＧＢ信号に対するＲＧＢ入力端子４０７とを備えており、２種類の信号形式の映像信号が入力されるようになっている。ＬＶＤＳ入力端子４０６及びＲＧＢ入力端子４０７から入力された映像信号は信号処理部４１０に入力される。信号処理部４１０は後述する信号処理を行った後、ＬＶＤＳをパネル信号制御回路４０２及びＬＶＤＳ出力端子４０８へ送出する。
【００８６】
パネル信号制御回路４０２はＬＶＤＳレシーバ４１６を備えており、該ＬＶＤＳレシーバ４１６が信号処理部４１０から送出されたＬＶＤＳを受ける。パネル信号制御回路４０２は、ＬＶＤＳレシーバ４１６が受けたＬＶＤＳ、クロック信号、ディスプレイタイミング信号、水平同期信号、垂直同期信号等に基づき、表示パネル４０１の上方に設けられたドレインドライバ（不図示）、側方に設けられたゲートドライバを駆動して前記ＬＶＤＳに基づく映像を表示する。
【００８７】
また、表示装置４００はバックライト４０３と該バックライト４０３を駆動するためのインバータ回路４０４とを備えており、映像を表示パネル４０１にて表示する際の輝度を確保するようにしている。電源回路４０５は、外部から供給された電源をパネル信号制御回路４０２、信号処理部４１０、及びインバータ回路４０４へ供給する。
【００８８】
信号処理部４１０は、ＲＧＢ入力端子４０７から入力されたアナログＲＧＢ信号をデジタル信号に変換すＡＤコンバータ４１２、デジタル信号に変換された映像信号に基づいてＬＶＤＳを生成するＬＶＤＳドライバ４１３を備えており、ＬＶＤＳドライバ４１３にて生成されたＬＶＤＳはＬＶＤＳ切替器４１４へ送出される。また、ＬＶＤＳ入力端子４０６はＬＶＤＳ切替器４１４に接続されており、ＬＶＤＳ入力端子４０６から入力されたＬＶＤＳがＬＶＤＳ切替器４１４に入力されるようになっている。
【００８９】
映像信号の入力元の選択を受付ける手段であるＬＶＤＳ切替器４１４は、例えば、表示装置４００の外側の適宜箇所に設けられたスライド式スイッチであり、人の手に前記スライド式スイッチを操作することによって、映像信号の入力元をＬＶＤＳ入力端子４０６又はＲＧＢ入力端子４０７から選択できるようになっている。ＬＶＤＳ切替器４１４にて選択された入力元からの映像信号はＬＶＤＳ分配器４１５へ送出され、パネル信号制御回路４０２及びＬＶＤＳ出力端子４０８の双方へ送出される。
なお、ＬＶＤＳ切替器４１４としては、前述のスライド式スイッチのようなハードウェアスイッチの他、表示装置４００の画面上にて前記選択の設定をすることができるソフトウェアスイッチを利用することも可能である。
【００９０】
なお、本実施の形態では、ＬＶＤＳ入力端子４０６又はＲＧＢ入力端子４０７の何れかから入力された映像信号に基づいて、パネル信号制御回路４０２及びＬＶＤＳ出力端子４０８の双方にＬＶＤＳによる映像信号を送出するようにしており、前記映像信号による映像を表示パネル４０１にて表示すると共に、外部へ出力する構成としたが、ＴＭＤＳ等の映像信号を入力するための映像入力端子を設けて、該映像入力端子から入力された映像信号をＬＶＤＳに変換するようにしてもよい。
【００９１】
また、ＡＤコンバータ４１２とＬＶＤＳドライバ４１３との間に表示解像度を変更するための解像度変換器を備える形態であってもよい。
【００９２】
実施の形態７．
前述の実施の形態では、表示装置間の映像信号の授受をＬＶＤＳにより行う形態について説明したが、ＬＶＤＳの代わりにアナログＲＧＢ信号をそのまま映像信号の送受に利用することも可能である。
【００９３】
図１４は本実施の形態に係る表示装置の内部構成を説明するブロック図である。表示装置５００はＲＧＢ入力端子５０７及びＲＧＢ出力端子５０８を備えている。ＲＧＢ入力端子５０７に入力されたアナログＲＧＢ信号は、信号処理部５１０にてＬＶＤＳに変換され、液晶ユニット５３０のパネル信号制御回路５０２へ送出されると共に、ＬＶＤＳに変換せずにＲＧＢ出力端子５０８へ送出される。パネル信号制御回路５０２ではＬＶＤＳレシーバ５１６にてＬＶＤＳを受けて、前記ＬＶＤＳに基づく映像を表示パネル５０１に表示させる。
【００９４】
信号処理部５１０は、ＲＧＢ入力端子５０７から入力されたアナログＲＧＢ信号をＲＧＢ分配器５１１により分岐させ、ＡＤコンバータ５１２及びＲＧＢ出力端子５０８へ送出する。ＡＤコンバータ５１２に入力されたアナログＲＧＢ信号はデジタル信号に変換された後、ＬＶＤＳドライバ５１３へ送出される。ＬＶＤＳドライバ５１３では、入力されたデジタル信号に基づきＬＶＤＳを生成し、生成したＬＶＤＳをパネル信号制御部５０２のＬＶＤＳレシーバ５１６へ送出する。
【００９５】
表示装置５００は外部から電源をとるようにしてあり、電源回路５０５を通じてパネル信号制御回路５０２、インバータ回路５０４、信号制御部５１０へ電源を供給する。インバータ回路５０４にはバックライト５０３が接続されており、表示パネル５０１にて映像を表示する際の輝度を確保するようにしている。
【００９６】
実施の形態８．
実施の形態７では表示装置５００によりアナログＲＧＢ信号を中継する構成としたが、信号変換器を利用してアナログＲＧＢ信号を中継し、図８に示したようなバス型接続により信号変換器と表示装置とを接続する構成としてもよい。図１５は本実施の形態に係る表示装置及び信号変換器の内部構成を説明するブロック図である。信号変換器６５０はＲＧＢ入力端子６５１を備えており、該ＲＧＢ入力端子６５１に入力されたアナログＲＧＢ信号は、ＲＧＢ分配器６５５を介してＲＧＢ出力端子６５２とＡＤコンバータ６５６との双方に送出される。ＡＤコンバータ６５６に入力されたアナログＲＧＢ信号はデジタル化されて、ＬＶＤＳドライバ６５７へ送出される。ＬＶＤＳドライバ６５７は、入力されたデジタル信号に基づきＬＶＤＳを生成し、ＬＶＤＳ出力端子６５３を通じて外部へ出力する。
【００９７】
信号変換器６５０のＲＧＢ出力端子６５２には別の信号変換器６５０が接続され、ＬＶＤＳ出力端子６５３には表示装置６００が接続される。表示装置６００はＬＶＤＳ入力端子６０６を備えており、信号変換器６５０から出力されたＬＶＤＳが入力される。ＬＶＤＳ入力端子６０６に入力されたＬＶＤＳは液晶ユニット６３０のパネル信号制御回路６０２へ送出され、パネル信号制御回路６０２は、ＬＶＤＳレシーバ６１６で受けたＬＶＤＳに基づき表示パネル６０１に映像を表示させる。
表示装置６００は外部から電源を取るようにしており、電源回路６０５を通じてパネル制御回路６０２及びインバータ回路６０４に電力が供給される。また、電源回路６０５にはＤＣコネクタ６０９が接続されており、該ＤＣコネクタ６０９と信号変換器６５０が備えるＤＣコネクタ６５９とを電源ケーブルで接続することにより表示装置６００から信号変換器６５０へ電力が供給する。
【００９８】
【発明の効果】
以上、詳述したように、第１発明による場合は、映像信号入力端子から入力された映像信号を表示手段へ送出して表示すると共に、映像信号出力端子へ送出して外部へ出力するようにしているため、複数の表示装置間を映像信号の伝送媒体である映像信号ケーブルで接続することによって、それらの表示装置で映像信号を共有して表示することが可能であり、会議等での使用性に優れる。また、会議の規模に合わせて使用する台数の増減が容易であり、複数の表示装置を接続したシステムの構築を安価に行うことが可能である。
【００９９】
第２発明による場合は、映像信号入力端子から入力された映像信号をＬＶＤＳのような差動信号に変換して表示すると共に、映像信号出力端子から出力するため、伝送による映像信号の劣化が少ない。
【０１００】
第３発明による場合は、表示解像度を変更するための手段を備えているため、映像信号の送出元と異なる表示解像度である場合にも映像の表示が可能である。
【０１０１】
第４発明による場合は、映像信号をＬＶＤＳのような差動信号により入出力を行っているため、伝送による映像信号の劣化が少ない。また、ノート型パーソナルコンピュータ用に開発された液晶パネルでは一般的にＬＶＤＳを用いて映像を表示しており、ＬＶＤＳをそのまま入出力に利用することによって、他の信号形式の映像信号に変換する必要がなくなるため、携帯に便利なノート型パーソナルコンピュータ用の液晶パネルを流用することができ、表示装置の製造コストを減少させることが可能となる。
【０１０２】
第５発明による場合は、２種類の映像信号を入力するために２つの映像信号入力端子と、一方から入力された映像信号の信号形式を他方の信号形式へ変換する手段とを備え、前記信号形式の映像信号を表示手段に送出して表示すると共に、映像出力端子へ送出して外部へ出力するようにしているため、２つの表示装置間を映像信号の伝送媒体である映像信号ケーブルで接続することによって、２つの表示装置で映像信号を共有して表示することが可能であり、会議等での使用性に優れる。また、会議の規模に合わせて使用する表示装置を増減することが容易である。
【０１０３】
第６発明による場合は、映像信号の入力するための映像信号入力端子を選択できるようにしてあるため、複数の表示装置を映像信号ケーブルで接続したシステムの構築が容易である。
【０１０４】
第７発明による場合は、第１信号形式の映像信号が差動信号であるため、映像信号の伝送による劣化が少ない。また、差動信号としてＬＶＤＳを用いた場合、ノート型パーソナルコンピュータ用の液晶パネルを流用した表示装置の表示用信号としても利用可能である。
【０１０５】
第８発明による場合は、第２映像信号入力端子はアナログＲＧＢ端子、ＤＶＩ端子、ＩＥＥＥ１３９４用端子、又はＵＳＢ端子であるため、アナログＲＧＢ信号等の各種映像信号の入力が可能である。また、入力された映像信号をＬＶＤＳ信号のような差動信号に変換して表示すると共に外部へ出力するようにしているため、映像信号による劣化が少ない。
【０１０６】
第９発明による場合は、受電用のＤＣレセプタクルを備えているため、電源ケーブルの接続が容易であり、しかも不用意に外れることがない。
【０１０７】
第１０発明による場合は、外部へ電源を供給するための電源端子を備えているため、複数の表示装置を接続した場合、一の表示装置から他の表示装置へ給電することが可能となる。
【０１０８】
第１１発明による場合は、外部機器への給電又は外部機器からの受電を可能とした接続用端子を備えているため、例えば、本発明の表示装置にパーソナルコンピュータを接続した場合、当該パーソナルコンピュータから受電することが可能であり、また、表示装置にマウス、キーボード等を接続した場合、これらの外部機器へ給電することが可能である。
【０１０９】
第１２発明による場合は、前記接続用端子はＵＳＢ端子又はＰＳ端子であるため、マウス、キーボード等の外部機器を接続することができ、それらの外部機器へ給電することが可能である。
【０１１０】
第１３発明による場合は、映像信号の入出力端子と、入力された信号形式を変換する手段とを備える信号変換器を表示装置の映像信号入力端子に外付けにしてあるため、例えば、アナログＲＧＢ信号等の各種映像信号をＬＶＤＳ信号のような差動信号に変換した上で映像信号入力端子に入力することが可能となり、差動信号による映像信号の表示及び他の表示装置への伝送を行うことが可能となる。
【０１１１】
第１４発明による場合は、信号変換器の入力端子がアナログＲＧＢ端子、ＤＶＩ端子、ＩＥＥＥ１３９４用端子、又はＵＳＢ端子であるため、アナログＲＧＢ信号等の各種映像信号の入力が可能である。
【０１１２】
第１５発明による場合は、信号変換器はＰＣＭＣＩＡカード又はＰＣＩボードであるため、これらをパーソナルコンピュータ等の情報処理装置に接続して映像信号を取得することが可能である。
【０１１３】
第１６発明による場合は、表示装置に給電装置を備えているため、表示装置から信号変換器へ給電することが可能である。
【０１１４】
第１７発明による場合は、信号変換器に給電装置を備えているため、信号変換器から表示装置へ給電することが可能である。
【０１１５】
第１８発明による場合は、表示装置の映像信号入力端子及び信号変換器の入力端子を通じて給電可能になしてあるため、映像信号の伝送媒体である映像信号ケーブルを共用して給電することができる。
【０１１６】
第１９発明による場合は、表示手段に対する覆い位置と非覆い位置とに亘って回動可能に取付けてある保護カバーを備えており、非覆い位置にあっては表示装置が起立状態になるため、搬入等の持ち運びの際に表示装置が損傷することを防止できる。また、保護カバーを回動させて開いたときに表示装置に対して所定角度を保つように構成した場合、表示装置を前記角度で机上に載置することが可能となる等、本発明は優れた効果を奏する。
【図面の簡単な説明】
【図１】本実施の形態に係る表示装置の接続例を示す模式図である。
【図２】本実施の形態に係る表示装置及び信号変換器の内部構成を説明するブロック図である。
【図３】図２に示した表示装置及び信号変換器の変形例を示すブロック図である。
【図４】本実施の形態に係る表示装置及び信号変換器の内部構成を説明する模式図である。
【図５】本実施の形態に係る表示装置及び信号変換器の内部構成を説明するブロック図である。
【図６】図２に示した表示装置及び信号変換器の外観斜視図である。
【図７】図３に示した表示装置及び信号変換器の外観斜視図である。
【図８】本実施の形態に係る表示装置の接続例を示す模式図である。
【図９】本実施の形態に係る表示装置及び信号変換器の内部構成を説明するブロック図である。
【図１０】本実施の形態に係る表示装置及び信号変換器の内部構成を説明するブロック図である。
【図１１】本実施の形態に係る表示装置及び信号変換器の内部構成を説明するブロック図である。
【図１２】本実施の形態に係る表示装置の接続例を示す模式図である。
【図１３】表示装置の内部構成を説明するブロック図である。
【図１４】本実施の形態に係る表示装置の内部構成を説明するブロック図である。
【図１５】本実施の形態に係る表示装置及び信号変換器の内部構成を説明するブロック図である。
【符号の説明】
１００　情報処理装置
１１０　映像信号ケーブル
１２０　映像信号ケーブル
２００，３００，４００，５００，６００　表示装置
２０１，３０１，４０１，５０１，６０１　表示パネル
２０２，３０２，４０２，５０２，６０２　パネル信号制御回路
２０３，３０３，４０３，５０３，６０３　バックライト
２０４，３０４，４０４，５０４，６０４　インバータ回路
２０５，３０５，４０５，５０５，６０５　電源回路
２０６，３０６，４０６，６０６　ＬＶＤＳ入力端子
２０７，５０７　ＲＧＢ入力端子
２０８，３０８　ＬＶＤＳ出力端子
２１０，３１０，４１０，５１０，６１０　信号処理部
２１５　ＬＶＤＳ分配器
２５０，３４０，６５０　信号変換器
【図１】
2004078042.tif 000003
【図２】
2004078042.tif 000004
【図３】
2004078042.tif 000005
【図４】
2004078042.tif 000006
【図５】
2004078042.tif 000007
【図６】
2004078042.tif 000008
【図７】
2004078042.tif 000009
【図８】
2004078042.tif 000010
【図９】
2004078042.tif 000011
【図１０】
2004078042.tif 000012
【図１１】
2004078042.tif 000013
【図１２】
2004078042.tif 000014
【図１３】
2004078042.tif 000015
【図１４】
2004078042.tif 000016
【図１５】
2004078042.tif 000017